(57)【要約】      （修正有）【課題】無線タグの位置の問い合わせが無くとも、所定の場合には、予め設定された通知先に無線タグの位置を通知する。【解決手段】登録者端末装置１０００で、通報用タグ５０００を登録するための登録用タグ５００１（タグ識別子）を取得し、取得したタグ識別子と所定情報の送信先を示す通知先情報をサーバ装置４０００に送信し登録する。通報者端末装置２０００は、通報用タグ５０００からタグ識別子を読み出し、タグ識別子を読み出したときに、自装置の位置を示す位置情報を取得し、取得した位置情報と読み出したタグ識別子とをサーバ装置に送信する。サーバ装置が、登録者端末装置から送信されたタグ識別子と通知先情報とを対応付けて記憶し、通報者端末装置から送信された位置情報とタグ識別子とを受信した場合に、受信したタグ識別子と対応付けて記憶している通知先情報が示す送信先（保護者端末装置３０００）に、受信した位置情報を含む情報を送信する。【選択図】図１
2018037887.tif 000002
【特許請求の範囲】
【請求項１】
自タグを特定するためのタグ識別子を記憶する通報用タグと、サーバ装置と、前記サーバ装置とネットワークを介してそれぞれ接続される登録者端末装置及び通報者端末装置とを備える通知システムであって、
前記登録者端末装置は、
前記通報用タグの前記タグ識別子を取得する取得手段と、
前記取得手段で取得した前記タグ識別子と所定情報の送信先を示す通知先情報とを前記サーバ装置に送信する第１送信手段とを備え、
前記通報者端末装置は、
前記通報用タグから前記タグ識別子を読み出す読出手段と、
自装置の位置を示す位置情報を取得する位置取得手段と、
前記読出手段で前記タグ識別子を読み出したときに、前記位置取得手段で前記位置情報を取得し、取得した前記位置情報と前記読出手段で読み出した前記タグ識別子とを前記サーバ装置に送信する第２送信手段とを備え、
前記サーバ装置は、
前記第１送信手段で送信された前記タグ識別子と前記通知先情報とを対応付けて記憶する記憶手段と、
前記第２送信手段で送信された前記位置情報と前記タグ識別子とを受信した場合に、受信した前記タグ識別子と対応付けて記憶している前記通知先情報が示す送信先に、受信した前記位置情報を含む前記所定情報を送信する通知手段とを備える
ことを特徴とする通知システム。
【請求項２】
前記通報用タグは、前記タグ識別子が記憶された無線タグであり、
前記通報者端末装置は、無線タグリーダを備え、
前記読出手段は、前記タグ識別子を、前記無線タグリーダを用いて前記通報用タグから読み出す
ことを特徴とする前記請求項１に記載の通知システム。
【請求項３】
前記通報用タグは、前記タグ識別子が符号化されたバーコードが印刷された印刷物であり、
前記通報者端末装置は、バーコードリーダを備え、
前記読出手段は、前記タグ識別子を、前記バーコードリーダを用いて前記通報用タグから読み出す
ことを特徴とする前記請求項１に記載の通知システム。
【請求項４】
前記通知システムは、前記タグ識別子を符号化したバーコードが表示された登録用タグを、更に備え、
前記登録者端末装置は、バーコードリーダを備え、
前記取得手段は、前記タグ識別子を、前記バーコードリーダを用いて前記登録用タグから取得する
ことを特徴とする前記請求項１〜３のいずれか一項に記載の通知システム。
【請求項５】
前記登録者端末装置は、無線タグリーダを備え、
前記取得手段は、前記タグ識別子を、前記無線タグリーダを用いて前記通報用タグから取得する
ことを特徴とする前記請求項２又は４に記載の通知システム。
【請求項６】
前記所定情報の送信先は、前記登録者端末装置である
ことを特徴とする前記請求項１〜５のいずれか一項に記載の通知システム。
【請求項７】
前記所定情報の送信先は、前記通報者端末装置である
ことを特徴とする前記請求項１〜５のいずれか一項に記載の通知システム。
【請求項８】
前記登録者端末装置と前記通報者端末装置は、同じ端末装置である
ことを特徴とする前記請求項１〜７のいずれか一項に記載の通知システム。
【請求項９】
自タグを特定するためのタグ識別子を記憶する通報用タグと、サーバ装置と、前記通報用タグの前記タグ識別子を取得し、取得した前記タグ識別子と所定情報の送信先を示す通知先情報とを前記サーバ装置に送信する登録者端末装置、及び、前記通報用タグから前記タグ識別子を読み出し、前記タグ識別子を読み出したときに、自装置の位置を示す位置情報を取得し、取得した前記位置情報と読み出した前記タグ識別子とを前記サーバ装置に送信する通報者端末装置とを備える通知システムにおける前記サーバ装置であって、
前記登録者端末装置及び通報者端末装置は、それぞれネットワークを介して前記サーバ装置と接続され、
前記登録者端末装置から送信された前記タグ識別子と前記通知先情報とを対応付けて記憶する記憶手段と、
前記通報者端末装置から送信された前記位置情報と前記タグ識別子とを受信した場合に、受信した前記タグ識別子と対応付けて記憶している前記通知先情報が示す送信先に、受信した前記位置情報を含む前記所定情報を送信する通知手段とを備える
ことを特徴とするサーバ装置。
【請求項１０】
自タグを特定するためのタグ識別子を記憶する通報用タグと、サーバ装置と、前記サーバ装置とネットワークを介してそれぞれ接続される登録者端末装置及び通報者端末装置とを備える通知システムで用いられる通知方法であって、
前記登録者端末装置が、
前記通報用タグの前記タグ識別子を取得する取得ステップと、
前記取得ステップで取得した前記タグ識別子と所定情報の送信先を示す通知先情報とを前記サーバ装置に送信する第１送信ステップとを備え、
前記通報者端末装置が、
前記通報用タグから前記タグ識別子を読み出す読出ステップと、
自装置の位置を示す位置情報を取得する位置取得ステップと、
前記読出ステップで前記タグ識別子を読み出したときに、前記位置取得ステップで前記位置情報を取得し、取得した前記位置情報と前記読出ステップで読み出した前記タグ識別子とを前記サーバ装置に送信する第２送信ステップとを備え、
前記サーバ装置が、
前記第１送信ステップで送信された前記タグ識別子と前記通知先情報とを対応付けて記憶する記憶ステップと、
前記第２送信ステップで送信された前記位置情報と前記タグ識別子とを受信した場合に、受信した前記タグ識別子と対応付けて記憶している前記通知先情報が示す送信先に、受信した前記位置情報を含む前記所定情報を送信する通知ステップとを備える
ことを特徴とする通知方法。
【発明の詳細な説明】
【技術分野】
【０００１】
本発明は、無線タグの位置を通知するシステムに関する。
【背景技術】
【０００２】
近年の高齢化に伴い、派出所などに保護される高齢者は増加傾向にある。このような保護された高齢者は、高齢者の健康や安全の観点から出来るだけ早く家族や保護者の元に帰されることが望ましい。
【０００３】
また、従来から、人物や物品の位置を検出する方法として、無線タグと無線タグリーダとを使用し、無線タグの発する電波によりタグが付された人物等の位置を検出する方法がとられている。
【０００４】
そこで、ＣＡＴＶネットワークを利用して、子供や高齢者等が付けている無線タグの位置を検出する技術が提案されている（特許文献１）。この技術は、ＣＡＴＶネットワークの各中継装置に無線タグリーダを配置し、リーダが検出した無線タグの情報を当該無線タグの加入者宅に最も近い中継装置の無線タグリーダに記憶させる。そして、加入者宅からの無線タグの位置の問い合わせは、この中継基地に対して行う。この技術によれば、トラフィック量の軽減及び分散を行いつつ、無線タグの位置を検出すること、つまり、無線タグを付けた子供等の居場所を家族は知ることが可能となる。従って、例えば、子供等の居場所が分からなくなった場合には、この技術により、家族は子供等の居場所を容易に把握することができ、子供等は速やかに家族の元に帰ることが可能となる。
【先行技術文献】
【特許文献】
【０００５】
【特許文献１】特開２００５−３５４２４７号公報
【発明の概要】
【発明が解決しようとする課題】
【０００６】
しかし、この技術は、加入者宅から無線タグの位置の問い合わせがあった場合に、無線タグの位置を返すものである。つまり、例えば、子供や高齢者が居室にいない等で行方不明であることを家族が認識した段階で、初めて、高齢者等の位置が問い合わされることになる。従って、高齢者が派出所等で保護されたとしても、その高齢者が家族への連絡先を伝えることができなければ、家族が高齢者の行方不明に気づくまで高齢者は家族の元に帰ることができないことになる。また、高齢者の行方不明に家族が気づいたとしても、家族はどこを探せばよいかわからない場合には、高齢者が家族の元に帰るまでの時間が長くなることになる。
【０００７】
本発明は、無線タグの位置の問い合わせが無くとも、所定の場合には、予め設定された通知先に無線タグの位置が通知されることを目的とする。例えば、高齢者等が保護された場合に、家族（保護者）が問い合わせを行わなくても、家族に高齢者等の位置が通知されることを目的とする。
【課題を解決するための手段】
【０００８】
本発明にかかる一態様の通知システムは、自タグを特定するためのタグ識別子を記憶する通報用タグと、サーバ装置と、前記サーバ装置とネットワークを介してそれぞれ接続される登録者端末装置及び通報者端末装置とを備える通知システムであって、前記登録者端末装置は、前記通報用タグの前記タグ識別子を取得する取得手段と、前記取得手段で取得した前記タグ識別子と所定情報の送信先を示す通知先情報とを前記サーバ装置に送信する第１送信手段とを備え、前記通報者端末装置は、前記通報用タグから前記タグ識別子を読み出す読出手段と、自装置の位置を示す位置情報を取得する位置取得手段と、前記読出手段で前記タグ識別子を読み出したときに、前記位置取得手段で前記位置情報を取得し、取得した前記位置情報と前記読出手段で読み出した前記タグ識別子とを前記サーバ装置に送信する第２送信手段とを備え、前記サーバ装置は、前記第１送信手段で送信された前記タグ識別子と前記通知先情報とを対応付けて記憶する記憶手段と、前記第２送信手段で送信された前記位置情報と前記タグ識別子とを受信した場合に、受信した前記タグ識別子と対応付けて記憶している前記通知先情報が示す送信先に、受信した前記位置情報を含む前記所定情報を送信する通知手段とを備えることを特徴とする。
【０００９】
このような構成の通知システムによれば、予め、登録者端末装置により、通報用タグのタグ識別子と通知先情報とを対応付けてサーバ装置に記憶させてあるので、通報者端末装置が通報用タグのタグ識別子を読み出すと、通知先に、現在位置を含む所定情報を送信することが可能となる。つまり、通報用タグを付した物や人等の現在位置を、予め登録されていた通知先に通知することができるので、ユーザは、例えば、無くすと困る物や迷子になる可能性のある人に通報用タグを付して置けば、通報用タグを付した物や人等を発見した人によって、その現在位置を知らせてもらうことが可能となる。
【００１０】
また、上述の通知システムにおいて、前記通報用タグは、前記タグ識別子が記憶された無線タグであり、前記通報者端末装置は、無線タグリーダを備え、前記読出手段は、前記タグ識別子を、前記無線タグリーダを用いて前記通報用タグから読み出すことが好ましい。
【００１１】
この構成によれば、通報用タグとして無線タグを使用するので、多種多様な物に通報用タグを付することが可能となる。例えば、衣類の襟に縫い込む、ペットの首輪に付けるなどである。
【００１２】
また、上述の通知システムにおいて、前記通報用タグは、前記タグ識別子が符号化されたバーコードが印刷された印刷物であり、前記通報者端末装置は、バーコードリーダを備え、前記読出手段は、前記タグ識別子を、前記バーコードリーダを用いて前記通報用タグから読み出すことが好ましい。
【００１３】
この構成によれば、通報用タグとして印刷物を使用するので、物に貼付することが可能となる。例えば、手帳やノートに貼付するなどである。
【００１４】
また、上述の通知システムにおいて、前記通知システムは、前記タグ識別子を符号化したバーコードが表示された登録用タグを、更に備え、前記登録者端末装置は、バーコードリーダを備え、前記取得手段は、前記タグ識別子を、前記バーコードリーダを用いて前記登録用タグから取得することが好ましい。
【００１５】
この構成によれば、バーコードを用いてタグ識別子を取得するので、バーコードリーダを備える登録者端末装置であれば、タグ識別子と通知先とをサーバ装置に記憶させることが可能となる。
【００１６】
また、上述の通知システムにおいて、前記登録者端末装置は、無線タグリーダを備え、前記取得手段は、前記タグ識別子を、前記無線タグリーダを用いて前記通報用タグから取得することが好ましい。
【００１７】
この構成によれば、通報用タグからタグ識別子を取得するので、通報用タグのみによって、登録者端末装置はタグ識別子と通知先とをサーバ装置に記憶させることが可能となる。
【００１８】
また、上述の通知システムにおいて、前記所定情報の送信先は、前記登録者端末装置であることが好ましい。
【００１９】
この構成によれば、登録者端末装置が所定情報の送信先となるので、自分で登録して、自分に通知が来るようにすることが可能となる。例えば、自分の持ち物に通報用タグを付して、自分に通知をもらうことが可能となる。
【００２０】
また、上述の通知システムにおいて、前記所定情報の送信先は、前記通報者端末装置であることが好ましい。
【００２１】
この構成によれば、通報者端末装置が所定情報の送信先となるので、自分で通報して、自分に通知が来るようにすることが可能となる。例えば、通報用タグの数を数えるなどのアプリケーションを実現することが可能となる。
【００２２】
また、上述の通知システムにおいて、前記登録者端末装置と前記通報者端末装置は、同じ端末装置であることが好ましい。
【００２３】
この構成によれば、登録者端末装置と通報者端末装置とが同じ装置なので、自分で登録して自分で通報することが可能となる。例えば、自分の衣類等に通報用タグを付しておけば、自分がどこにいるか分からなくても、自分の現在位置を通知先に通知することが可能となる。
【００２４】
他の一態様のサーバ装置は、自タグを特定するためのタグ識別子を記憶する通報用タグと、サーバ装置と、前記通報用タグの前記タグ識別子を取得し、取得した前記タグ識別子と所定情報の送信先を示す通知先情報とを前記サーバ装置に送信する登録者端末装置、及び、前記通報用タグから前記タグ識別子を読み出し、前記タグ識別子を読み出したときに、自装置の位置を示す位置情報を取得し、取得した前記位置情報と読み出した前記タグ識別子とを前記サーバ装置に送信する通報者端末装置とを備える通知システムにおける前記サーバ装置であって、前記登録者端末装置及び通報者端末装置は、それぞれネットワークを介して前記サーバ装置と接続され、前記登録者端末装置から送信された前記タグ識別子と前記通知先情報とを対応付けて記憶する記憶手段と、前記通報者端末装置から送信された前記位置情報と前記タグ識別子とを受信した場合に、受信した前記タグ識別子と対応付けて記憶している前記通知先情報が示す送信先に、受信した前記位置情報を含む前記所定情報を送信する通知手段とを備えることを特徴とする。
【００２５】
このような構成のサーバ装置を用いれば、通知システムを構築することが容易となる。
【発明の効果】
【００２６】
本発明にかかる通知システムを用いることによって、無線タグを登録しておけば、無線タグの位置の問い合わせが無い場合でも、予め設定した通知先に無線タグの位置を通知することができる。
【図面の簡単な説明】
【００２７】
【図１】実施形態１にかかる通知システムの構成例を示す図である。
【図２】実施形態１にかかる通知システムの機能ブロック図である。
【図３】タグ情報テーブルの構成及び内容の例を示す図である。
【図４】タグ登録情報テーブルの構成及び内容の例を示す図である。
【図５】履歴情報テーブルの構成及び内容の例を示す図である。
【図６】登録処理のフローチャートである。
【図７】通報処理のフローチャートである。
【図８】登録画面の例を示す図である。
【図９】再登録画面の例を示す図である。
【図１０】通報完了画面の例を示す図である。
【図１１】保護通知画面の例を示す図である。
【図１２】通知システムの変形例１を説明するための図である。
【図１３】通知システムの変形例２を説明するための図である。
【図１４】通知システムの変形例３を説明するための図である。
【図１５】変形例３の登録画面（通知先登録画面）の例を示す図である。
【図１６】変形例３の保護通知画面（お客様確認画面）の例を示す図である。
【図１７】通知システムの変形例４を説明するための図である。
【図１８】実施形態２にかかる通知システムの構成例を示す図である。
【図１９】実施形態２にかかる通知システムの機能ブロック図である。
【図２０】実施形態２の登録処理のフローチャートである。
【発明を実施するための形態】
【００２８】
＜実施形態１＞
実施形態では、高齢者が迷子になり、派出所に保護された場合を例に説明する。
【００２９】
以下、本発明にかかる実施の一形態を図面に基づいて説明する。
【００３０】
＜構成＞
図１は、通知システム１００の構成例を示す図である。通知システム１００は、登録者端末装置１０００、通報者端末装置２０００、保護者端末装置３０００、サーバ装置４０００、無線タグ５０００（通報用タグ）、及び、バーコードタグ５００１（登録用タグ）を備える。
【００３１】
登録者端末装置１０００、通報者端末装置２０００、及び、保護者端末装置３０００は、電気通信業者が提供するネットワークやインターネット等の広域ネットワークであるネットワーク１０１を介して、サーバ装置４０００と接続される。破線１０２は、ＮＦＣ（Ｎｅａｒ  ｆｉｅｌｄ  ｒａｄｉｏ  ｃｏｍｍｕｎｉｃａｔｉｏｎ）等による近距離無線通信を示す。一点鎖線１０３は、画像の撮影を示す。
【００３２】
サーバ装置４０００は、通知システム１００の管理者により管理され、通知システム事業を運営するための、いわゆるサーバである。
【００３３】
登録者端末装置１０００は、衣類１１１に縫い込まれている無線タグ５０００を通知システム１００に登録するための、いわゆるパソコン等の端末装置である。実施形態では、高齢者１１０の家族の一人が有するスマートフォンとする。バーコードタグ５００１は、無線タグ５０００と一対一に対応する２次元バーコードであり、無線タグ５０００を登録する際に使用する。
【００３４】
通報者端末装置２０００は、衣類１１１を着た高齢者１１０を保護した派出所が有する、いわゆるパソコン等の端末装置である。実施形態では、派出所の警察官が有するスマートフォンとする。
【００３５】
また、保護者端末装置３０００は、高齢者１１０が保護された旨を通知する先の、いわゆるパソコン等の端末装置、つまり、高齢者１１０の家族、保護者、高齢者施設等が有する端末装置である。実施形態では、高齢者１１０の家族の一人が有するスマートフォンとする。
【００３６】
＜使用例＞
ここで、通知システム１００の使用例を、図８〜図１１を参照しながら、図１を用いて説明する。
【００３７】
まず、高齢者の家族の一人（以下、「登録者」という。）が、登録者端末装置１０００を用いて、高齢者１１０が着る衣類１１１に付されている無線タグ５０００を、サーバ装置４０００に登録しておく。具体的には、登録者は、登録者端末装置１０００に予めダウンロード（又は、バンドル）されている、無線タグ５０００をサーバ装置４０００に登録するためのアプリケーション（以下、「登録アプリ」という。）を起動し、登録する無線タグ５０００と対のバーコードタグ５００１に表示されているバーコードを、登録者端末装置１０００で撮影する。そして、登録者は、登録者端末装置１０００のディスプレイに表示される登録画面から、通知先である保護者端末装置３０００のメールアドレスを入力し、無線タグ５０００をサーバ装置４０００に登録する。
【００３８】
図８は、登録者端末装置１０００に表示される無線タグ５０００を登録するための登録画面１１１０の例を示す図である。登録者が、登録アプリを起動した登録者端末装置１０００でバーコードタグ５００１に表示されているバーコードを撮影すると、登録者端末装置１０００のディスプレイに登録画面１１１０が表示される。
【００３９】
登録画面１１１０は、名前入力領域１１１１、通知先入力領域１１１２、及び、登録ボタン１１１３を有する。名前入力領域１１１１は、衣類１１１を着る予定の高齢者１１０の名前や呼び名を入力する領域である。通知先入力領域１１１２は、高齢者１１０を保護した旨の通知先、つまり、保護者端末装置３０００のメールアドレスを入力する領域である。図８では、通知先として、高齢者１１０との関係、及び、複数の通知先が入力できるようになっている。登録ボタン１１１３は、無線タグ５０００をサーバ装置４０００に登録するためのボタンである。
【００４０】
登録者は、登録者端末装置１０００に表示された登録画面１１１０の名前入力領域１１１１に高齢者１１０の名前を入力し、通知先入力領域１１１２に保護者端末装置３０００のメールアドレス等を入力する。そして、登録ボタン１１１３を押下する。これで、無線タグ５０００がサーバ装置４０００に登録される。尚、通知先入力領域１１１２の保護者端末装置３０００のメールアドレスは、必須項目であり、他の項目は任意としてよい。
【００４１】
また、登録済みの無線タグ５０００の通知先であるメールアドレスを変更する場合や、衣類１１１を破棄する等の理由によりサーバ装置４０００から無線タグ５０００の登録を削除したい場合は、登録者は、再度、登録アプリを起動した登録者端末装置１０００でバーコードタグ５００１に表示されているバーコードを撮影する。登録者端末装置１０００のディスプレイに再登録画面１１３０が表示される。
【００４２】
図９は、登録者端末装置１０００に表示される無線タグ５０００を再登録するための再登録画面１１３０の例を示す図である。再登録画面１１３０には、登録画面１１１０と同様に、名前入力領域１１１１、通知先入力領域１１１２、及び、登録ボタン１１１３を有し、更に、抹消ボタン１１３１を有する。抹消ボタン１１３１は、無線タグ５０００をサーバ装置４０００から削除するためのボタンである。名前入力領域１１１１、及び、通知先入力領域１１１２には、現在登録されている名前やメールアドレス等が表示される。
【００４３】
登録者は、登録者端末装置１０００に表示された再登録画面１１３０の名前入力領域１１１１の名前や通知先入力領域１１１２のメールアドレス等を、必要に応じて修正又は追加し、登録ボタン１１１３を押下する。これで、無線タグ５０００がサーバ装置４０００に再登録される。尚、登録を削除する場合は、登録者は、抹消ボタン１１３１を押下する。
【００４４】
無線タグ５０００の登録（又は、再登録）後、例えば、道に迷っている高齢者１１０を見つけた警察官（以下、「通報者」という。）は、自身の有する通報者端末装置２０００に予めダウンロードされている、高齢者１１０を保護した旨を保護者に通知するためのアプリケーション（以下、「通報アプリ」という。）を起動し、高齢者１１０が着ている衣類１１１に付されている無線タグ５０００に通報者端末装置２０００をかざす。高齢者１１０を保護した旨、及び、通報者端末装置２０００の位置を含む通知メールが、サーバ装置４０００を介して保護者端末装置３０００に送信される。
【００４５】
図１０は、通報者端末装置２０００に表示される通報完了画面２１１０の例を示す図である。通報者が、通報アプリを起動した通報者端末装置２０００を無線タグ５０００にかざすと、通知メールが保護者端末装置３０００に送信され、通報者端末装置２０００のディスプレイに通報完了画面２１１０が表示される。
【００４６】
通報完了画面２１１０は、通知メールを送信した旨のメッセージ２１１１、高齢者１１０の名前２１１２、及び、通知メールの送信先のメールアドレス等である通知先情報２１１３が表示される。通報者は、この通報完了画面２１１０が表示されることで、高齢者１１０の名前を知ることができ、また、保護者に通知が送られたことを確認することができる。尚、通知メールを送信した旨のメッセージ２１１１は、必須項目であり、他の項目は必要に応じて表示するものとしてもよい。
【００４７】
また、図１１は、保護者端末装置３０００に表示される保護通知画面３１１０の例を示す図である。保護者が通知メールを開くと、保護者端末装置３０００のディスプレイに保護通知画面３１１０が表示される。
【００４８】
保護通知画面３１１０は、高齢者１１０を保護した旨のメッセージ３１１１、保護した場所を示す地図３１１２、及び、保護した場所等である保護情報３１１３が表示される。地図３１１２には、保護した（保護されている）場所が２重円で示される。保護者は、この保護通知画面３１１０が表示されることで、高齢者１１０が保護されたことを知ることができ、また、保護された（保護されている）場所を確認することができる。高齢者１１０が保護されると直ぐに保護者端末装置３０００に通知メールが届くので、保護者は、高齢者１１０が行方不明になっていることに気が付く前であっても、保護されていることを知り、迎えに行くなどの措置をとることが可能となる。尚、高齢者１１０を保護した旨のメッセージ３１１１、及び、保護した場所を示す情報（図１１では地図３１１２）は、必須項目であり、他の項目は必要に応じて表示するものとしてもよい。保護した場所を示す情報は、実施形態では地図３１１２としているが、住所、緯度経度など、保護された場所が分かる情報であればよい。
【００４９】
実施形態の通知システム１００は、このように、予め、無線タグ５０００を通知先（保護者端末装置３０００）と共にサーバ装置４０００に登録しておけば、通報アプリを起動した通報者端末装置２０００を無線タグ５０００にかざすだけという簡便な方法で、通報者端末装置２０００の位置、すなわち、無線タグ５０００の位置を、保護者端末装置３０００に通知することが可能となる。
【００５０】
上述の特許文献１の技術では、無線タグを検出する地域が広くなればなるほど、多くの中継基地に無線タグリーダを設置する必要があり、常に無線タグの位置情報を検出して収集していることから、位置の問い合わせが無い無線タグについても、通信トラフィックが発生している。通知システム１００では、管理会社等にサーバ装置４０００を設けるだけでよく、また、無線タグの登録時と通報時にのみ、必要最小限度の通信トラフィックが発生するだけである。また、実施形態の通知システム１００は、登録者端末装置１０００に登録アプリを、通報者端末装置２０００に通報アプリをダウンロードしておくだけで、サーバ装置４０００以外の装置は不要である。
【００５１】
また、後述するように、無線タグ５０００はパッシブタイプのＩＣタグであるので、電源を有する必要がないという利点もある。
【００５２】
＜各装置の構成＞
次に、図２を用いて、通知システム１００が有する各装置の構成を説明する。図２は、登録者端末装置１０００、通報者端末装置２０００、保護者端末装置３０００、サーバ装置４０００、及び、無線タグ５０００の機能ブロック図である。尚、登録者端末装置１０００、通報者端末装置２０００、及び、保護者端末装置３０００は、コンピュータで構成される携帯端末装置（スマートフォン）であり、マンマシンインターフェースとしてタッチパネルを備える。
【００５３】
登録者端末装置１０００、及び、通報者端末装置２０００、及び、保護者端末装置３０００は、それぞれ、例えば、Ｗｅｂブラウザ機能を有し、サーバ装置４０００にＨＴＴＰ（Ｈｙｐｅｒ  Ｔｅｘｔ  Ｔｒａｎｓｆｅｒ  Ｐｒｏｔｏｃｏｌ）リクエストを送信し、そのレスポンスとしてＷｅｂページ等の表示データを受信して、通知システム１００の各画面をディスプレイに表示する。一方、サーバ装置４０００は、いわゆるＷｅｂサーバの機能を有し、例えば、登録者端末装置１０００からのリクエストに応じて、所定の処理を行い、処理結果に応じたＷｅｂページ等の表示データを登録者端末装置１０００に送信する。
【００５４】
まず、無線タグ５０００は、タグ情報送受信部５１００、及び、タグ情報記憶部５２００を備える。無線タグ５０００は、パッシブタイプのＩＣタグであり、内蔵する整流回路が、リーダ（後述の通報者端末装置２０００のタグ情報読込部２３００）から送信されアンテナ（不図示）で受信された電波を整流して直流に直し、それを電源として起動される。そして、タグ情報送受信部５１００は、タグ情報記憶部５２００に記憶されているタグ情報を読み出して、リーダに送信する。また、タグ情報記憶部５２００にタグ情報を記憶させる場合には、ライタから受信した情報をタグ情報記憶部５２００に記憶させる。尚、タグ情報記憶部５２００に記憶されているタグ情報は、実施形態では、自タグである無線タグ５０００を特定するためのタグ識別子と、通報のためのＵＲＬ（Ｕｎｉｆｏｒｍ  Ｒｅｓｏｕｒｃｅ  Ｌｏｃａｔｏｒ）である。具合的には、＜データ＞の項で説明する。
【００５５】
バーコードタグ５００１は、無線タグ５０００と一対一に設けられている紙のタグであり、表面にバーコードが印刷されている。実施形態では、２次元バーコードであるとする。この２次元バーコードには、対となる無線タグ５０００のタグ識別子と、登録のためのＵＲＬが記憶されている。
【００５６】
尚、無線タグ５０００は、アクリル樹脂等で被包され防水性を有しているものである。従って、ユーザは、無線タグ５０００を縫い付けた衣類１１１を洗濯することが可能である。また、バーコードタグ５００１には、タグ識別子等が１次元バーコードで記載されていても良い。
【００５７】
次に、登録者端末装置１０００は、制御部１１００、通信部１２００、バーコード読込部１３００、及び、無線タグ登録部１４００を備える。登録アプリの機能は、これらの機能部により実現される。
【００５８】
制御部１１００は、他の機能部を制御して無線タグ登録処理を行う。
【００５９】
通信部１２００は、ネットワーク１０１を介して、サーバ装置４０００と通信する。
【００６０】
バーコード読込部１３００は、カメラを有し、バーコードタグ５００１に表示されているバーコードを撮影し、撮影したバーコードを復号する。
【００６１】
無線タグ登録部１４００は、ディスプレイに登録画面１１１０を表示し、無線タグ５０００を登録するための情報を取得し、サーバ装置４０００に送信する。具体的には、無線タグ登録部１４００は、バーコード読込部１３００が取得したタグ識別子と、登録画面１１１０に入力された通知先（保護者端末装置３０００）のメールアドレス等を、サーバ装置４０００に送信する。
【００６２】
通報者端末装置２０００は、制御部２１００、通信部２２００、タグ情報読込部２３００、位置検出部２４００、タイマー２５００、及び、通報情報送信部２６００を備える。通報アプリの機能は、これらの機能部により実現される。
【００６３】
制御部２１００は、他の機能部を制御して通報処理を行う。
【００６４】
通信部２２００は、ネットワーク１０１を介して、サーバ装置４０００と通信する。
【００６５】
タグ情報読込部２３００は、無線タグ５０００のタグ情報送受信部５１００と通信を行い、無線タグ５０００のタグ識別子等のタグ情報を取得する。
【００６６】
位置検出部２４００は、ＧＰＳ（Ｇｌｏｂａｌ  Ｐｏｓｉｔｉｏｎｉｎｇ  Ｓｙｓｔｅｍ）を有し、自装置である通報者端末装置２０００の位置を検出する。検出した位置を示す位置情報は、緯度経度で表される。
【００６７】
タイマー２５００は、制御部２１００の要求に応じて、現在の日時を検出し通知する。
【００６８】
通報情報送信部２６００は、タグ情報読込部２３００が取得したタグ識別子と、位置検出部２４００が検出した位置情報と、タイマー２５００が検出した日時とを、通報情報としてサーバ装置４０００に送信する。また、通報情報送信部２６００は、サーバ装置４０００から、タグ識別子と対応付けてタグ登録情報記憶部４５００に記憶されている情報、具体的には、高齢者１１０の名前等を含んだ画面データを受信し、通報完了画面２１１０をディスプレイに表示する。
【００６９】
保護者端末装置３０００は、制御部３１００、通信部３２００、及び、通知情報表示部３３００を備える。
【００７０】
制御部３１００は、他の機能部を制御して通知メールの受信処理を行う。
【００７１】
通信部３２００は、ネットワーク１０１を介して、サーバ装置４０００と通信する。
【００７２】
通知情報表示部３３００は、サーバ装置４０００から受信した通知メールを、ユーザの操作に応じてディスプレイに表示する。具体的には、通知情報表示部３３００は、必要に応じてサーバ装置４０００と通信を行い、メールに含まれる位置情報（緯度経度）が示す場所の周辺の地図であって、その場所に所定の印（２重円）を表示させた地図の画像データ、及び、位置情報が示す場所の町名、店舗名等を取得し、メールの内容と共にディスプレイに表示する（図１１参照）。
【００７３】
サーバ装置４０００は、制御部４１００、通信部４２００、無線タグ登録抹消部４３００、通知情報送信部４４００、タグ登録情報記憶部４５００、通知ログ記憶部４６００、及び、地図情報記憶部４７００を備える。
【００７４】
制御部４１００は、他の機能部を制御して無線タグ５０００に関する情報を管理し、通知システム１００の全体を制御する。
【００７５】
通信部４２００は、ネットワーク１０１を介して、登録者端末装置１０００、通報者端末装置２０００、及び、保護者端末装置３０００と通信する。
【００７６】
無線タグ登録抹消部４３００は、無線タグ５０００のタグ識別子をタグ登録情報記憶部４５００に記憶させ、又は、削除する。具体的には、登録者端末装置１０００から登録指示があった場合には、登録者端末装置１０００から受信したタグ識別子と、通知先（保護者端末装置３０００）のメールアドレス等の情報（以下、「通知先情報」という。）とを対応付けて、タグ登録情報記憶部４５００に記憶させる。また、無線タグ登録抹消部４３００は、登録者端末装置１０００から抹消指示があった場合には、登録者端末装置１０００から受信したタグ識別子、及び、対応付けて記憶されている通知先情報をタグ登録情報記憶部４５００から削除する。また更に、無線タグ登録抹消部４３００は、登録した時から予め設定された期間、例えば、１年が経過した無線タグ５０００のタグ識別番号、及び、対応付けて記憶されている通知先情報をタグ登録情報記憶部４５００から削除する。尚、期間経過により削除する場合は、保護者端末装置３０００に対して、削除するか否かの問い合わせを行い、削除の指示があった場合にのみ削除を行うこととしても良い。
【００７７】
通知情報送信部４４００は、無線タグ５０００の位置情報等を含む通知情報を作成し、保護者端末装置３０００に送信する。具体的には、通知情報には、例えば、保護された高齢者の名前、日時、位置情報等が含まれ、通知情報送信部４４００は、通知情報を含ませた通知メールを保護者端末装置３０００に送信する。
【００７８】
タグ登録情報記憶部４５００は、タグ識別子と対応付けて、通知先（保護者端末装置３０００）のメールアドレス等の通知先情報を記憶する。
【００７９】
通知ログ記憶部４６００は、通知情報送信部４４００が作成した通知情報を、タグ識別子ごとにログとして記憶する。通知ログは、高齢者１１０等の行動を把握する際に有効であると考えられ、例えば、保護者等の要求に応じて開示する。
【００８０】
地図情報記憶部４７００は、地図のデータであって、任意の緯度経度で示される位置の周辺の道路、店舗、公共機関等の図形、名称等を表示させるためのデータを記憶する。
【００８１】
登録者端末装置１０００、通報者端末装置２０００、保護者端末装置３０００、サーバ装置４０００は、上述のようにコンピュータで構成され、それぞれハードディスク等の記憶部（不図示）に格納されているソフトウェアプログラムがＣＰＵ（Ｃｅｎｔｒａｌ  Ｐｒｏｃｅｓｓｉｎｇ  Ｕｎｉｔ）により実行されることによって上述の各機能部が実現される。
【００８２】
＜データ＞
次に、通知システム１００で用いる主なデータについて説明する。
【００８３】
図３は、無線タグ５０００のタグ情報記憶部５２００に記憶されているタグ情報テーブル５２１０の構成及び内容の例を示す図である。
【００８４】
タグ情報テーブル５２１０は、タグＩＤ５２１１、及び、ＵＲＬ５２１２を有する。
【００８５】
タグＩＤ５２１１は、無線タグ５０００を特定するための識別子を示す。
【００８６】
ＵＲＬ５２１２は、通知システム１００の通報処理を行うためのサーバの場所、つまり、サーバ装置４０００内のアプリケーションの場所を示す。
【００８７】
具体的には、例えば、タグＩＤ５２１１として「T001」、ＵＲＬ５２１２として「http://www.nfcsys.co.jp/sentries/index.php」が設定されている場合には、通報者端末装置２０００の通報情報送信部２６００によって、引数として「?T001」が付加された「http://www.nfcsys.co.jp/sentries/index.php?T001」が作成され、サーバ装置４０００の通知情報送信部４４００（sentries/index.php）に制御が渡される。
【００８８】
バーコードタグ５００１には、タグ情報テーブル５２１０のタグＩＤ５２１１が示す識別子と同じ識別子と、通知システム１００の登録処理を行うためのサーバ装置４０００内のアプリケーションの場所を示す情報とが、２次元バーコードに符号化されて記憶されている。例えば、タグＩＤ５２１１が「T001」の無線タグ５０００と対となっているバーコードタグ５００１には、「http://www.nfcsys.co.jp/mailEntries/index.php?T001」が符号化された２次元バーコードが表示（記憶）されており、登録者端末装置１０００の無線タグ登録部１４００により復号化され、サーバ装置４０００の無線タグ登録抹消部４３００（mailEntries/index.php）に制御が渡される。「http://www.nfcsys.co.jp/mailEntries/index.php」は、無線タグ５０００の登録処理を行うための、サーバ装置４０００内のアプリケーションの場所を示すＵＲＬである。
【００８９】
図４は、サーバ装置４０００のタグ登録情報記憶部４５００に記憶されているタグ登録情報テーブル４５１０の構成及び内容の例を示す図である。
【００９０】
タグ登録情報テーブル４５１０は、タグＩＤ４５１１、名称４５１２、メールアドレス４５１３、及び、保護者４５１４を有する。
【００９１】
タグＩＤ４５１１は、無線タグ５０００を特定するための識別子を示す。
【００９２】
名称４５１２は、タグＩＤ４５１１が示す無線タグ５０００を付けている、つまり、無線タグ５０００が付加された衣類１１１を着ている高齢者１１０の呼び名を示す。
【００９３】
メールアドレス４５１３は、保護者端末装置３０００のメールアドレスを示す。実施形態では、メールアドレスとしているが、電話番号や、メッセージの送受信が可能なアプリケーションでの宛先でも良く、例えば、電話番号の場合は、通報者端末装置２０００からの通知はショートメール等で行われる。
【００９４】
保護者４５１４は、保護者端末装置３０００の持ち主の、タグＩＤ４５１１が示す無線タグ５０００を付けている高齢者１１０との関係を示す。例えば、「家族」、「長女」、等と記載される。また、「デイサービス」等の施設が記載されても良い。
【００９５】
図４では、例えば、タグＩＤ４５１１が「T002」の無線タグ５０００には、メールアドレス４５１３として「bbb@yyy.jp」、「aab@yyy.jp」の２つのメールアドレスが登録されている。これは、例えば、連絡先として二人が登録されていることを示す。また、タグＩＤ４５１１が「T003」、「T004」の２つの無線タグ５０００それぞれは、名称４５１２が「○○花子」に対応付けられている。これは、例えば、名称が「○○花子」という高齢者１１０の、２つの衣類１１１それぞれに付けられた２つの無線タグ５０００が登録されていることを示す。
【００９６】
図５は、サーバ装置４０００の通知ログ記憶部４６００に記憶されている履歴情報テーブル４６１０の構成及び内容の例を示す図である。
【００９７】
履歴情報テーブル４６１０は、無線タグ５０００毎に作成される。詳細には、タグ登録情報テーブル４５１０のタグＩＤ４５１１として設定された無線タグ５０００の識別子ごとに、１テーブルが作成される。通知情報送信部４４００が保護者端末装置３０００に対して通知メールを送信する都度、履歴情報テーブル４６１０に１レコードが追加される。
【００９８】
履歴情報テーブル４６１０は、タグＩＤ４６１１、日付４６１２、時刻４６１３、及び、緯度経度４６１４を有する。
【００９９】
タグＩＤ４６１１は、無線タグ５０００を特定するための識別子を示す。
【０１００】
日付４６１２は、タグＩＤ４６１１が示す無線タグ５０００を付けた高齢者を保護した、つまり、通報者端末装置２０００のタグ情報読込部２３００が無線タグ５０００からタグ情報を読み出した日付を示す。
【０１０１】
時刻４６１３は、タグＩＤ４６１１が示す無線タグ５０００からタグ情報を読み出した、日付４６１２における時刻を示す。
【０１０２】
緯度経度４６１４は、タグＩＤ４６１１が示す無線タグ５０００からタグ情報を読み出した通報者端末装置２０００の位置を示す。
【０１０３】
＜動作＞
次に、図６、図７を用いて、通知システム１００が行う処理について説明する。
【０１０４】
＜登録処理＞
まず、図６を用いて、登録処理について説明する。図６は、登録処理のフローチャートである。図６において、破線で記載されている矢印は、データの流れを示す。
【０１０５】
まず、登録者は、自分が携帯する登録者端末装置１０００から、無線タグ５０００の登録を行う。具体的には、登録者は、登録者端末装置１０００の登録アプリを起動し、バーコードタグ５００１の２次元バーコードを撮影する。登録アプリを起動する操作を検出した制御部１１００は、バーコード読込部１３００にバーコードを読込むよう指示を出す。指示を受けたバーコード読込部１３００は、カメラを起動し２次元バーコードを撮影し、撮影した画像を復号し、登録のためのＵＲＬ、例えば「http://www.nfcsys.co.jp/mailEntries/index.php?T001」を取得し、無線タグ登録部１４００に渡す（ステップＳ１０）。無線タグ登録部１４００は、バーコード読込部１３００から渡されたＵＲＬを用いて、サーバ装置４０００と通信を開始する。
【０１０６】
まず、無線タグ登録部１４００は、タグ識別子「T001」を、サーバ装置４０００に送信する。タグ識別子を受信したサーバ装置４０００の制御部４１００は、受信したタグ識別子を無線タグ登録抹消部４３００に渡し、登録処理を依頼する。実施形態では、例えば、無線タグ登録部１４００は、ＷＥＢブラウザとしての機能を有し、「www.nfcsys.co.jp」というＦＱＤＮ（Ｆｕｌｌｙ  Ｑｕａｌｉｆｉｅｄ  Ｄｏｍａｉｎ  Ｎａｍｅ）のサーバ装置４０００内の、「mailEntries/index.php」というファイル（無線タグ登録抹消部４３００）に、引数「T001」を渡す。
【０１０７】
登録処理の依頼を受けた無線タグ登録抹消部４３００は、渡されたタグ識別子（処理対象のタグ識別子）の無線タグ５０００が、登録済みであるか否かを判断する（ステップＳ２０）。具体的には、無線タグ登録抹消部４３００は、タグ登録情報記憶部４５００に記憶されているタグ登録情報テーブル４５１０（図４参照）から、処理対象のタグ識別子がタグＩＤ４５１１として設定されているレコードを検索する。レコードがあった場合は、登録済みであると判断し、レコードが無かった場合は、登録されていないと判断する。
【０１０８】
登録されていないと判断した場合（ステップＳ２０：未登録）、無線タグ登録抹消部４３００は、通知先情報を登録者端末装置１０００から取得する処理を行う（ステップＳ２４）。具体的には、まず、無線タグ登録抹消部４３００は、登録画面１１１０（図８参照）を表示するための画面データを登録者端末装置１０００に送信する。
【０１０９】
画面データを受信した登録者端末装置１０００の無線タグ登録部１４００は、登録者端末装置１０００のディスプレイに登録画面１１１０を表示する。登録者は、登録画面１１１０の名前入力領域１１１１、及び、通知先入力領域１１１２に、通知先情報として名前や保護者端末装置３０００のメールアドレス等を入力して、登録ボタン１１１３を押下する。登録ボタン１１１３が押下されたことを検出した無線タグ登録部１４００は、名前入力領域１１１１及び通知先入力領域１１１２に入力された通知先情報をサーバ装置４０００に送信する（ステップＳ１２）。
【０１１０】
サーバ装置４０００の無線タグ登録抹消部４３００は、無線タグ登録部１４００から通知先情報を受信すると、受信した通知先情報をタグ登録情報テーブル４５１０に登録する（ステップＳ２５）。具体的には、無線タグ登録抹消部４３００は、処理対象のタグ識別子をタグＩＤ４５１１として設定し、受信した通知先情報を名称４５１２、メールアドレス４５１３、及び、保護者４５１４として設定したレコードを作成し、作成したレコードをタグ登録情報テーブル４５１０に追加する。
【０１１１】
一方、ステップＳ２０において、無線タグ登録抹消部４３００は、無線タグ５０００が登録されていると判断した場合には（ステップＳ２０：登録済）、通知先情報の再登録、又は、無線タグ５０００を抹消する処理を行う（ステップＳ２１）。具体的には、まず、無線タグ登録抹消部４３００は、処理対象のタグ識別子がタグＩＤ４５１１として設定されているレコードから、名称４５１２、メールアドレス４５１３、及び、保護者４５１４として設定されているデータをそれぞれ読み出す。そして、無線タグ登録抹消部４３００は、読み出したデータそれぞれが名前入力領域１１１１、及び、通知先入力領域１１１２に表示される登録画面１１３０（図９参照）を表示するための画面データ作成し、作成した画面データを登録者端末装置１０００に送信する。
【０１１２】
画面データを受信した登録者端末装置１０００の無線タグ登録部１４００は、登録者端末装置１０００のディスプレイに再登録画面１１３０を表示する。通知先情報を再登録、つまり、変更する場合、登録者は、再登録画面１１３０の名前入力領域１１１１の名前や通知先入力領域１１１２を、必要に応じて書き換えて、登録ボタン１１１３を押下する。一方、無線タグ５０００を抹消する場合、登録者は、抹消ボタン１１３１を押下する（ステップＳ１１）。
【０１１３】
登録ボタン１１１３及び抹消ボタン１１３１のいずれか一方が押下されたことを検出した無線タグ登録部１４００は、押下されたボタンの示す指示（「抹消」又は「再登録」）をサーバ装置４０００に送信する。この際、登録ボタン１１１３が押下された場合には、無線タグ登録部１４００は、名前入力領域１１１１及び通知先入力領域１１１２に入力された通知先情報を、サーバ装置４０００に送信する。
【０１１４】
サーバ装置４０００の無線タグ登録抹消部４３００は、無線タグ登録部１４００から指示を受信すると、指示に応じた処理を行う。具体的には、指示が「再登録」である場合には、無線タグ登録抹消部４３００は、タグ登録情報テーブル４５１０に登録されている処理対象のタグ識別子の通知先情報を更新する（ステップＳ２５）。具体的には、無線タグ登録抹消部４３００は、処理対象のタグ識別子がタグＩＤ４５１１として設定されたレコードの名称４５１２、メールアドレス４５１３、及び、保護者４５１４として、受信した通知先情報を設定する。また、指示が「抹消」である場合には、無線タグ登録抹消部４３００は、タグ登録情報テーブル４５１０に登録されている処理対象のタグ識別子を削除する（ステップＳ２３）。具体的には、無線タグ登録抹消部４３００は、処理対象のタグ識別子がタグＩＤ４５１１として設定されたレコードを、消去する。
【０１１５】
＜通報処理＞
次に、図７を用いて、通報処理について説明する。図７は、通報処理のフローチャートである。図７において、破線で記載されている矢印は、データの流れを示す。
【０１１６】
まず、通報者は、自分が携帯する通報者端末装置２０００の通報アプリを起動し、保護した高齢者１１０が身に付けている無線タグ５０００に通報者端末装置２０００をかざす。通報アプリを起動する操作を検出した制御部２１００は、タグ情報読込部２３００に無線タグ５０００からタグ情報を読込むよう指示を出す。指示を受けたタグ情報読込部２３００は、電波を送信する。タグ情報送受信部５１００は、受信した電波が整流された直流を電源として起動され、タグ情報記憶部５２００に記憶されているタグ情報（図３のタグ情報テーブル５２１０）を読み出して、送信する。タグ情報を受信したタグ情報読込部２３００は、受信したタグ情報を通報情報送信部２６００に渡す（ステップＳ３０）。
【０１１７】
タグ情報を渡された通報情報送信部２６００は、位置検出部２４００から現在位置を取得し、タイマー２５００から現在の日時を取得する（ステップＳ３１）。そして、通報情報送信部２６００は、タグ情報、すなわち、タグ情報テーブル５２１０にタグＩＤ５２１１として設定されているタグ識別子「T001」、取得した現在位置、及び、取得した現在時刻を、サーバ装置４０００に送信する。具体的には、通報情報送信部２６００は、タグ情報テーブル５２１０にＵＲＬ５２１２として設定されている「www.nfcsys.co.jp」というＦＱＤＮのサーバ装置４０００内の、「sentries/index.php」というファイル（通知情報送信部４４００）に、タグ識別子「T001」、現在位置、及び、現在時刻を渡す。
【０１１８】
サーバ装置４０００の通知情報送信部４４００は、通報者端末装置２０００から、タグ識別子「T001」、現在位置、及び、現在時刻を受信すると、まず、受信したタグ識別子（処理対象のタグ識別子）の無線タグ５０００が、登録済みであるか否かを判断する（ステップＳ４０）。具体的には、通知情報送信部４４００は、タグ登録情報記憶部４５００に記憶されているタグ登録情報テーブル４５１０（図４参照）から、処理対象のタグ識別子がタグＩＤ４５１１として設定されているレコードを検索する。レコードがあった場合は、登録ありと判断し、レコードが無かった場合は、登録なしと判断する。
【０１１９】
登録なしと判断した場合（ステップＳ４０：登録なし）、通知情報送信部４４００は、処理を終了する。
【０１２０】
一方、登録ありと判断した場合（ステップＳ４０：登録あり）、通知情報送信部４４００は、通知メールを保護者端末装置３０００に送信する（ステップＳ４１）。具体的には、まず、通知情報送信部４４００は、処理対象のタグ識別子がタグＩＤ４５１１として設定されているタグ登録情報テーブル４５１０のレコードから、名称４５１２、メールアドレス４５１３として設定されているデータを読み出す。そして、通知情報送信部４４００は、名称４５１２として設定されている名前の人物を保護した旨の本文、通報者端末装置２０００から受信した現在位置、及び、現在時刻を含んだメールを作成し、メールアドレス４５１３として設定されているメールアドレス宛に送信する。また、通知情報送信部４４００は、処理対象のタグ識別子がタグＩＤ４６１１として設定された履歴情報テーブル４６１０（図５参照）に、日付４６１２、時刻４６１３、及び、時刻４６１３として現在位置、及び、現在時刻をそれぞれ設定したレコードを作成して追加する。
【０１２１】
通知メールを受信した保護者端末装置３０００の通知情報表示部３３００は、メールを受信した旨の報知、例えば、所定の音を鳴らす、所定の図形を保護者端末装置３０００のディスプレイに表示する等を行う。保護者が通知メールを開けて、保護されている旨の本文を読み、所定の操作、例えば、メール本文内に表示されている緯度経度をクリックする。通知情報表示部３３００は、メールに対して所定の操作が行われたことを検出すると、所定の操作が行われた旨をサーバ装置４０００に送信する。所定の操作が行われた旨を受信した通知情報送信部４４００は、地図情報記憶部４７００を検索し、保護通知画面３１１０（図１１参照）を表示するための画像データを作成して、保護者端末装置３０００に送信する。画像データを受信した保護者端末装置３０００の通知情報表示部３３００は、ディスプレイに保護通知画面３１１０を表示する（ステップＳ５０）。
【０１２２】
ステップＳ４１において、保護者端末装置３０００に通知メールを送信した通知情報送信部４４００は、次に、通知メールを保護者端末装置３０００に送信した旨の通報完了画面２１１０（図１０参照）を表示するための画像データを作成して、通報者端末装置２０００に送信する（ステップＳ４２）。画像データを受信した通報者端末装置２０００通報情報送信部２６００は、ディスプレイに通報完了画面２１１０を表示する（ステップＳ３２）。
【０１２３】
このように、予め、無線タグ５０００を通知先（保護者端末装置３０００）と共にサーバ装置４０００に登録しておけば、通報アプリを起動した通報者端末装置２０００を無線タグ５０００にかざすだけという簡便な方法で、通報者端末装置２０００の位置、すなわち、無線タグ５０００の位置を、保護者端末装置３０００に通知することが可能となる。
【０１２４】
実施形態では、高齢者の衣服に無線タグ５０００を付けた例を説明したが、高齢者に限らず、子供、動物、カバン等の持ち物など、無線タグを付したものであれば、本システムは適用可能である。
【０１２５】
＜変形例１＞
実施形態では、登録者端末装置１０００と保護者端末装置３０００とは、別の端末装置としているが、同じ端末装置であっても良い。
【０１２６】
図１２に、登録者端末装置１０００と保護者端末装置３０００が同じ端末装置である通知システム２００の例を示す。図１２は、無線タグ５０００をペット１２０の首輪に付けた例である。
【０１２７】
以下、実施形態の通知システム１００との相違点を説明する。
【０１２８】
＜構成＞
構成において通知システム２００が通知システム１００と異なる点は、登録者端末装置１０００は、通知システム１００の保護者端末装置３０００が有する通知情報表示部３３００（図２参照）を備える点である。
【０１２９】
＜動作＞
＜登録処理＞
登録処理は、図６のフローチャートと同様である。
【０１３０】
ステップＳ１１又はステップＳ１２において、ペット１２０の飼い主である登録者は、無線タグ５０００をサーバ装置４０００に登録する際に、登録画面１１１０（図８参照）の通知先入力領域１１１２に登録者端末装置１０００のメールアドレスを入力する。
【０１３１】
＜通報処理＞
通報処理は、図７のフローチャートと同様である。
【０１３２】
ペット１２０を発見した通報者が、通報者端末装置２０００の通報アプリを起動してペット１２０の首輪に付けられた無線タグ５０００にかざすと、発見した旨の通知メールが登録者端末装置１０００に届くことになる。
【０１３３】
＜変形例２＞
実施形態では、無線タグ５０００を用いて、無線タグ５０００を付けた衣類１１１を着た高齢者１１０の位置を検出しているが、無線タグ５０００の代わりに２次元バーコードを印刷したシールやタグ等を用いても良い。
【０１３４】
図１３に、無線タグ５０００に代えて２次元バーコードを印刷したシールを用いた通知システム３００の例を示す。図１３は、２次元バーコードを印刷したシールであるバーコードシール５００２（通報用タグ）をカバン１３０に貼った例である。
【０１３５】
＜構成＞
構成において通知システム３００が通知システム１００と異なる点は、無線タグ５０００に記憶している内容と同様の内容が２次元バーコードに符号化され、バーコードシール５００２に印刷されている点である。例えば、「http://www.nfcsys.co.jp/sentries/index.php?T001」が符号化された２次元バーコードが印刷される。「T001」がタグ識別子であり、「http://www.nfcsys.co.jp/sentries/index.php」は、通報処理を行うための、サーバ装置４０００内のアプリケーションの場所を示すＵＲＬである。
【０１３６】
また、通知システム３００の通報者端末装置２０００は、登録者端末装置１０００のバーコード読込部１３００を備える。このバーコード読込部１３００は、撮影した画像を復号して得られたＵＲＬ「http://www.nfcsys.co.jp/sentries/index.php?T001」を、通報情報送信部２６００に渡す。
【０１３７】
また、通知システム３００の登録者端末装置１０００は、通知システム１００の保護者端末装置３０００が有する通知情報表示部３３００を備える。
【０１３８】
＜動作＞
＜登録処理＞
登録処理は、図６のフローチャートと同様である。
【０１３９】
カバン１３０の持ち主である登録者は、バーコードシール５００２をサーバ装置４０００に登録する際に、バーコードタグ５００１を読込んで表示された登録画面１１１０（図８参照）の通知先入力領域１１１２に、登録者端末装置１０００のメールアドレスを入力する。
【０１４０】
＜通報処理＞
通報処理は、図７のフローチャートと同様であるが、ステップＳ３０の処理が異なる。つまり、通報者は、自分が携帯する通報者端末装置２０００の通報アプリを起動し、カバン１３０に貼られたバーコードシール５００２を撮影する。通報アプリを起動する操作を検出した制御部２１００は、バーコード読込部１３００にバーコードを読込むよう指示を出す。指示を受けたバーコード読込部１３００は、カメラを起動し２次元バーコードを撮影し、撮影した画像を復号し、通報情報送信部２６００に渡す。通報情報送信部２６００は、位置検出部２４００から現在位置を取得し、タイマー２５００から現在の日時を取得する（ステップＳ３１）。ステップＳ３１から後の処理は、図７のフローチャートの処理と同様である。
【０１４１】
カバン１３０を発見した通報者、例えば、駅の遺失物預かり所の管理者は、通報者端末装置２０００の通報アプリを起動して、カバン１３０に貼られたバーコードシール５００２を撮影すると、カバン１３０を預かっている旨の通知メールが、カバン１３０の持ち主の登録者端末装置１０００に届くことになる。
【０１４２】
＜変形例３＞
実施形態では、通報者端末装置２０００と保護者端末装置３０００とは、別の端末装置としているが、同じ端末装置であっても良い。
【０１４３】
図１４に、通報者端末装置２０００と保護者端末装置３０００とを同じ携帯端末とした通知システム４００の例を示す。この通知システム４００は、複数のツアー客の数の確認を、一人のツアーコンダクターが行う際に用いられる。複数のツアー客１４０に配られた無線タグ５０００すべての通知先を、ツアーコンダクターの携帯端末（保護者端末装置３０００）のメールアドレスとした例である。図１４では、無線タグ５０００ａ、無線タグ５０００ｂ、無線タグ５０００ｃ、及び、それぞれの無線タグ５０００と対となるバーコードタグ５００１ａ、バーコードタグ５００１ｂ、無線タグ５０００ｃが記載されているが、この数に限られない。また、以下、無線タグ５０００ａ、無線タグ５０００ｂ、無線タグ５０００ｃ等を総称して無線タグ５０００といい、バーコードタグ５００１ａ、バーコードタグ５００１ｂ、無線タグ５０００ｃ等を総称してバーコードタグ５００１という。
【０１４４】
＜構成＞
構成において通知システム４００が通知システム１００と異なる点は、通報者端末装置２０００は、通知システム１００の保護者端末装置３０００が有する通知情報表示部３３００（図２参照）を備える点である。
【０１４５】
＜動作＞
＜登録処理＞
登録処理は、図６のフローチャートと同様である。
【０１４６】
図１５に、登録者端末装置１０００に表示される無線タグ５０００を登録するための登録画面１１２０の例を示す。登録画面１１２０は、登録画面１１１０（図８参照）と同様に、名前入力領域１１１１、通知先入力領域１１１２、及び、登録ボタン１１１３を有する。名前入力領域１１１１は、ツアー客の名前を入力する領域であり、通知先入力領域１１１２は、ツアーコンダクターの携帯端末のアドレス、つまり、通報者端末装置２０００のメールアドレスを入力する領域である。図１５では、ツアーコンダクターの名前が入力できるようになっている。
【０１４７】
登録者は、無線タグ５０００をサーバ装置４０００に登録する際に、登録画面１１２０の通知先入力領域１１１２に通報者端末装置２０００のメールアドレスを入力する。
【０１４８】
＜通報処理＞
通報処理は、図７のフローチャートと同様であるが、ステップＳ４２、ステップＳ３２の処理は行わない。つまり、通知システム４００の場合、通報者端末装置２０００と保護者端末装置３０００とは同じ携帯端末であるので、通報者端末装置２０００に対する通報完了画面２１１０の送信、表示処理は不要だからである。
【０１４９】
また、図７のフローチャートのステップＳ４１の処理が異なる。
【０１５０】
ステップＳ４１において、サーバ装置４０００の通知情報送信部４４００は、通知メールを作成して通報者端末装置２０００（保護者端末装置３０００）に送信する。
【０１５１】
図１６に、通報者端末装置２０００（保護者端末装置３０００）に表示される通知メールの例を示す。通知メール画面３１２０は、確認したツアー客の名前３１２１、及び、確認したツアー客の人数である集合者数３１２２が表示される。
【０１５２】
まず、通知情報送信部４４００は、通報者端末装置２０００から受信した処理対象のタグ識別子がタグＩＤ４５１１として設定されているタグ登録情報テーブル４５１０のレコードから、名称４５１２、メールアドレス４５１３として設定されているデータを読み出す。そして、通知情報送信部４４００は、メールアドレス４５１３として設定されているメールアドレス宛に通知メールを送信したタグ識別子の数、すなわち、レコードの数をカウントする。この際、通知情報送信部４４００は、直近の通知メールの送信時刻から所定時間、例えば、１時間を経過している場合には、カウントした数をクリアして１とする。ツアー客の数を数える場合は、連続して無線タグ５０００を読込むからである。尚、通報者端末装置２０００から、カウントを１から開始する指示等を受信することとしても良い。
【０１５３】
通知情報送信部４４００は、名称４５１２として設定されているデータを名前３１２１として表示し、カウントした数を集合者数３１２２として表示したメールを作成し、メールアドレス４５１３として設定されているメールアドレス宛に送信する。
【０１５４】
ツアーコンダクターは、、通報者端末装置２０００の通報アプリを起動して、ツアー客１４０が付けている無線タグ５０００にかざすと、そのツアー客の名前とそのツアー客が何人目であるかを示す集合人数とが表示された通知メールが、通報者端末装置２０００に届くことになる。
【０１５５】
尚、通知システム４００の場合、登録者端末装置１０００、通報者端末装置２０００、及び、保護者端末装置３０００が、同じ端末装置であっても良い。この場合、例えば、通報者端末装置２０００は、通知システム１００の保護者端末装置３０００が有する通知情報表示部３３００に加えて、登録者端末装置１０００が有するバーコード読込部１３００及び無線タグ登録部１４００（図２参照）を備える。
【０１５６】
＜変形例４＞
実施形態では、登録者端末装置１０００と通報者端末装置２０００とは、別の端末装置としているが、同じ端末装置であっても良い。
【０１５７】
図１７に、登録者端末装置１０００と通報者端末装置２０００が同じ端末装置である通知システム５００の例を示す。図１７は、高齢者１１０が、高齢者１１０自身が所有する登録者端末装置１０００を用いて無線タグ５０００をサーバ装置４０００に登録しておき、そして、例えば、道に迷った場合や、迎えに来てほしいが場所が分からない場合等に、高齢者１１０自身が登録者端末装置１０００を無線タグ５０００にかざして自分の位置を家族に知らせる例である。
【０１５８】
＜構成＞
構成において通知システム５００が通知システム１００と異なる点は、登録者端末装置１０００は、通知システム１００の通報者端末装置２０００が有するタグ情報読込部２３００、位置検出部２４００、タイマー２５００、及び、通報情報送信部２６００（図２参照）を備える点である。
【０１５９】
＜動作＞
＜登録処理＞
登録処理は、図６のフローチャートと同様である。
【０１６０】
ステップＳ１１又はステップＳ１２において、高齢者１１０（登録者）は、無線タグ５０００をサーバ装置４０００に登録する際に、登録画面１１１０（図８参照）の通知先入力領域１１１２に、家族が所持する携帯端末（保護者端末装置３０００）のメールアドレスを入力する。
【０１６１】
＜通報処理＞
通報処理は、図７のフローチャートと同様である。
【０１６２】
高齢者１１０は、登録者端末装置１０００の通報アプリを起動して無線タグ５０００無線タグ５０００にかざすと、自分の現在位置を示す情報が含まれた通知メールが、保護者端末装置３０００に届くことになる。
＜実施形態２＞
実施形態１（図１等参照）では、無線タグ５０００をサーバ装置４０００に登録するために、無線タグ５０００と対になったバーコードタグ５００１を用いるが、登録する無線タグ５０００自体を用いることとしても良い。この場合、バーコードタグ５００１が不要であり、バーコードタグ５００１をなくしたとしても抹消、再登録ができるという利点がある。
【０１６３】
図１８は、実施形態２の通知システム６００の構成例を示す図である。通知システム６００は、登録者端末装置６０００、通報者端末装置２０００、保護者端末装置３０００、サーバ装置７０００、及び、無線タグ５０００を備える。
【０１６４】
＜構成＞
図１９は、通知システム６００が有する各装置の機能ブロック図である。実施形態１の通知システム１００と異なる点は、登録者端末装置６０００が、バーコード読込部１３００に代えてタグ情報読込部６１００を備え、サーバ装置７０００が制御部４１００に代えて制御部７１００を備える点である。他の通報者端末装置２０００、保護者端末装置３０００、及び、無線タグ５０００は、実施形態１と同様の機能を備える。
【０１６５】
登録者端末装置６０００のタグ情報読込部６１００は、無線タグ５０００のタグ情報送受信部５１００と通信を行い、無線タグ５０００のタグ識別子等を取得する。
【０１６６】
サーバ装置７０００の制御部７１００は、サーバ装置４０００の制御部４１００の機能に加え、登録処理と通報処理とを切り分ける機能を有する。
【０１６７】
尚、無線タグ５０００のタグ情報記憶部５２００に記憶されているタグ情報は、実施形態１では、自タグである無線タグ５０００を特定するためのタグ識別子と、通報のためのＵＲＬであるが、実施形態２では、タグ識別子と、登録及び通報の両方の処理を行うＵＲＬを記憶している。具合的には、例えば、タグ情報テーブル５２１０（図３参照）のタグＩＤ５２１１として「T001」、ＵＲＬ５２１２として「http://www.nfcsys.co.jp/control/index.php」が設定されている場合には、登録者端末装置６０００の無線タグ登録部１４００によって、引数として「?T001」が付加された「http://www.nfcsys.co.jp/control/index.php?T001」が作成され、サーバ装置７０００の制御部７１００に制御が渡される。
【０１６８】
＜動作＞
図２０は、通知システム６００における登録処理及び通報処理のフローチャートである。
【０１６９】
＜登録処理＞
まず、登録者は、自分が携帯する登録者端末装置６０００の登録アプリを起動し、無線タグ５０００に登録者端末装置１０００をかざす。登録アプリを起動する操作を検出した制御部１１００は、タグ情報読込部６１００に無線タグ５０００からタグ情報を読込むよう指示を出す。指示を受けたタグ情報読込部６１００は、電波を送信する。タグ情報送受信部５１００は、受信した電波が整流された直流を電源として起動され、タグ情報記憶部５２００に記憶されているタグ情報（図３のタグ情報テーブル５２１０）を読み出して、送信する。タグ情報を受信したタグ情報読込部６１００は、受信したタグ情報を無線タグ登録部１４００に渡す（ステップＳ６０）。
【０１７０】
タグ情報を渡された無線タグ登録部１４００は、タグ情報テーブル５２１０にタグＩＤ５２１１として設定されているタグ識別子「T001」と、登録アプリからの送信であることを示す登録アプリ識別子とを、サーバ装置７０００に送信する。具体的には、無線タグ登録部１４００は、タグ情報テーブル５２１０にＵＲＬ５２１２として設定されている「www.nfcsys.co.jp」というＦＱＤＮのサーバ装置７０００内の、「control/index.php」というファイル（制御部７１００）に、タグ識別子「T001」と登録アプリ識別子とを渡す。
【０１７１】
サーバ装置７０００の制御部７１００は、タグ識別子「T001」と登録アプリ識別子とを受信すると、登録アプリからの指示であると判断して（ステップＳ８０：登録アプリ）、登録者端末装置６０００と通信して登録処理を行う（ステップＳ６１、ステップＳ８１）。ステップＳ６１の処理は、実施形態１の登録処理のフローチャート（図６参照）のステップＳ１１、及び、ステップＳ１２の処理と同様であり、ステップＳ８１の処理は、ステップＳ２０〜ステップＳ２５の処理と同様である。
【０１７２】
尚、通知システム６００の場合、無線タグ５０００を読込めさえすれば再登録、抹消を行うことができるので、パスワード等で認証が成功した場合にのみ、サーバ装置７０００に登録することとしても良い。
【０１７３】
＜通報処理＞
通報者は、自分が携帯する通報者端末装置２０００の通報アプリを起動し、無線タグ５０００に通報者端末装置２０００をかざす。通報アプリを起動する操作を検出した制御部２１００は、タグ情報読込部２３００に無線タグ５０００からタグ情報を読込むよう指示を出す。指示を受けたタグ情報読込部２３００は、読込んだタグ情報を通報情報送信部２６００に渡す。タグ情報を渡された通報情報送信部２６００は、位置検出部２４００から現在位置を取得し、タイマー２５００から現在の日時を取得する。そして、通報情報送信部２６００は、タグ情報、すなわち、タグ情報テーブル５２１０にタグＩＤ５２１１として設定されているタグ識別子「T001」、取得した現在位置、取得した現在時刻、及び、通報アプリからの送信であることを示す通報アプリ識別子とを、サーバ装置７０００に送信する（ステップＳ７０）。具体的には、通報情報送信部２６００は、タグ情報テーブル５２１０にＵＲＬ５２１２として設定されている「www.nfcsys.co.jp」というＦＱＤＮのサーバ装置４０００内の、「control/index.php」というファイル（制御部７１００）に、タグ識別子「T001」、現在位置、現在時刻、及び、通報アプリ識別子を渡す。
【０１７４】
サーバ装置７０００の制御部７１００は、タグ識別子「T001」、現在位置、現在時刻、及び、通報アプリ識別子を受信すると、通報アプリからの指示であると判断して（ステップＳ８０：通報アプリ）、通報者端末装置２０００と通信して通報処理を行う（ステップＳ７１、ステップＳ８２）。ステップＳ７１の処理は、実施形態１の通報処理のフローチャート（図７参照）のステップＳ３２の処理と同様であり、ステップＳ８２の処理は、ステップＳ４０〜ステップＳ４２の処理と同様である。
【０１７５】
通知メールを受信した保護者端末装置３０００の通知情報表示部３３００は、ディスプレイに保護通知画面３１１０を表示する（ステップＳ９０）。
【０１７６】
実施形態１の変形例１〜４の構成は、実施形態２においても同様の構成が可能である。
【０１７７】
実施形態１のように、無線タグ５０００を登録する際にバーコードタグ５００１を用いる場合は、ＩＣタグリーダを備えないがバーコードリーダを備える携帯端末によって、無線タグ５０００を登録できるという利点がある。
【０１７８】
また、実施形態１の変形例の通知システム３００のように、無線タグ５０００の代わりにバーコードシール５００２を用いる場合は、通報者端末装置２０００がＩＣタグリーダを備えないがバーコードリーダを備える携帯端末によって通報ができるという利点がある。
【０１７９】
尚、実施形態では、登録者端末装置１０００と無線タグ５０００、通報者端末装置２０００と無線タグ５０００とは、近距離無線通信としてＮＦＣを用いることとしているが、ＲＦＩＤ（ｒａｄｉｏ  ｆｒｅｑｕｅｎｃｙ  ｉｄｅｎｔｉｆｉｅｒ）における他の通信方式を用いても良い。また、実施形態では、無線タグ５０００が、パッシブタイプのＩＣタグであるとしているが、アクティブタイプのＩＣタグであっても良い。
【０１８０】
また、実施形態の無線タグ５０００、バーコードタグ５００１、及び、バーコードシール５００２それぞれに記憶されているタグ識別子は、暗号化されたタグ識別子が記憶されていても良い。例えば、タグ識別子が「T001」の場合、「http://www.nfcsys.co.jp/sentries/index.php?T001」ではなく、「T001」を暗号化した結果の「Ym2080njmimKN9h0cnw」を用いて、「http://www.nfcsys.co.jp/sentries/index.php?Ym2080njmimKN9h0cnw」を記憶させる。この場合、サーバ装置４０００、及び、サーバ装置７０００は、暗号化されたタグ識別子を復号するための機能部を備える。このようにタグ識別子を暗号化することにより、無線タグ５０００等を複製して、互いに異なる複数のタグ識別子を記憶した無線タグ５０００を作成することを防ぐことが可能となる。つまり、タグ識別子のみを他のタグ識別子に変えて複製の無線タグ５０００を作成したとしても、サーバ装置４０００において正しく復号できない可能性が高く、複製の無線タグ５０００は登録することはできないからである。
【０１８１】
実施形態では、無線タグ５０００、バーコードタグ５００１、バーコードシール５００２に、タグ識別子とサーバのＵＲＬ（処理を行うための、サーバ装置４０００内のアプリケーションの場所を示すＵＲＬ）とが記憶されていることとしているが、ＵＲＬは、各携帯端末にダウンロードされるアプリケーション（登録アプリ、通報アプリ）内に記憶されているものとしても良い。この場合、サーバの場所が変更されたとしても、無線タグ５０００等に記憶されているＵＲＬを書き換える必要がないという利点がある。
【０１８２】
実施形態において、保護者端末装置３０００のメールアドレスを登録画面１１１０の通知先入力領域１１１２に入力する際に、保護者端末装置３０００に対してメール等で通知先として良いか否かの問い合わせを行い、良いと返答があった場合にのみメールアドレスを登録することとしても良い。
【０１８３】
本発明を表現するために、上述において図面を参照しながら実施形態を通して本発明を適切且つ十分に説明したが、当業者であれば上述の実施形態を変更及び／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【０１８４】
１００  ２００  ３００  ４００  ５００  ６００  通知システム
１０００  ６０００  登録者端末装置
１３００  バーコード読込部
１４００  無線タグ登録部
２０００  通報者端末装置
２３００  ６１００  タグ情報読込部
２４００  位置検出部
２５００  タイマー
２６００  通報情報送信部
３０００  保護者端末装置
３３００  通知情報表示部
４０００  ７０００  サーバ装置
４３００  無線タグ登録抹消部
４４００  通知情報送信部
４５００  タグ登録情報記憶部
４６００  通知ログ記憶部
４７００  地図情報記憶部
５０００  無線タグ（通報用タグ）
５００１  バーコードタグ（登録用タグ）
５００２  バーコードシール（通報用タグ）
【図１】
2018037887.tif 000003
【図２】
2018037887.tif 000004
【図３】
2018037887.tif 000005
【図４】
2018037887.tif 000006
【図５】
2018037887.tif 000007
【図６】
2018037887.tif 000008
【図７】
2018037887.tif 000009
【図８】
2018037887.tif 000010
【図９】
2018037887.tif 000011
【図１０】
2018037887.tif 000012
【図１１】
2018037887.tif 000013
【図１２】
2018037887.tif 000014
【図１３】
2018037887.tif 000015
【図１４】
2018037887.tif 000016
【図１５】
2018037887.tif 000017
【図１６】
2018037887.tif 000018
【図１７】
2018037887.tif 000019
【図１８】
2018037887.tif 000020
【図１９】
2018037887.tif 000021
【図２０】
2018037887.tif 000022
【手続補正書】
【提出日】平成29年6月17日(2017.6.17)
【手続補正１】
【補正対象書類名】特許請求の範囲
【補正対象項目名】全文
【補正方法】変更
【補正の内容】
【特許請求の範囲】
【請求項１】
自タグを特定するためのタグ識別子を記憶する通報用タグと、サーバ装置と、前記通報用タグと対の登録用タグであって、前記タグ識別子を符号化したバーコードが表示された登録用タグと、前記サーバ装置とネットワークを介してそれぞれ接続される登録者端末装置及び通報者端末装置とを備える通知システムであって、
前記登録者端末装置は、
バーコードリーダと、
前記登録用タグから、前記バーコードリーダを用いて前記タグ識別子を取得する取得手段と、
前記取得手段で取得した前記タグ識別子と所定情報の送信先を示す通知先情報とを前記サーバ装置に送信する第１送信手段とを備え、
前記通報者端末装置は、
前記通報用タグから前記タグ識別子を読み出す読出手段と、
自装置の位置を示す位置情報を取得する位置取得手段と、
前記読出手段で前記タグ識別子を読み出したときに、前記位置取得手段で前記位置情報を取得し、取得した前記位置情報と前記読出手段で読み出した前記タグ識別子とを前記サーバ装置に送信する第２送信手段とを備え、
前記サーバ装置は、
前記タグ識別子と前記通知先情報とを対応付けて記憶する記憶手段と、
前記第１送信手段で送信された前記タグ識別子と前記通知先情報とを受信した場合に、受信した前記タグ識別子と前記通知先情報とを対応付けて前記記憶手段に記憶させる登録手段と、
前記第２送信手段で送信された前記位置情報と前記タグ識別子とを受信した場合に、受信した前記タグ識別子と対応付けて記憶している前記通知先情報が示す送信先に、受信した前記位置情報を含む前記所定情報を送信する通知手段とを備える
ことを特徴とする通知システム。
【請求項２】
前記通報用タグは、前記タグ識別子が記憶された無線タグであり、
前記通報者端末装置は、無線タグリーダを備え、
前記読出手段は、前記タグ識別子を、前記無線タグリーダを用いて前記通報用タグから読み出す
ことを特徴とする前記請求項１に記載の通知システム。
【請求項３】
前記通報用タグは、前記タグ識別子が符号化されたバーコードが印刷された印刷物であり、
前記通報者端末装置は、バーコードリーダを備え、
前記読出手段は、前記タグ識別子を、前記バーコードリーダを用いて前記通報用タグから読み出す
ことを特徴とする前記請求項１に記載の通知システム。
【請求項４】
前記所定情報の送信先は、前記登録者端末装置である
ことを特徴とする前記請求項１〜３のいずれか一項に記載の通知システム。
【請求項５】
前記所定情報の送信先は、前記通報者端末装置である
ことを特徴とする前記請求項１〜３のいずれか一項に記載の通知システム。
【請求項６】
前記登録者端末装置と前記通報者端末装置は、同じ端末装置である
ことを特徴とする前記請求項１〜５のいずれか一項に記載の通知システム。
【請求項７】
自タグを特定するためのタグ識別子を記憶する通報用タグと、前記通報用タグと対の登録用タグであって、前記タグ識別子を符号化したバーコードが表示された登録用タグと、サーバ装置と、前記登録用タグから、バーコードリーダを用いて前記タグ識別子を取得し、取得した前記タグ識別子と所定情報の送信先を示す通知先情報とを前記サーバ装置に送信する登録者端末装置と、前記通報用タグから前記タグ識別子を読み出し、前記タグ識別子を読み出したときに、自装置の位置を示す位置情報を取得し、取得した前記位置情報と読み出した前記タグ識別子とを前記サーバ装置に送信する通報者端末装置とを備える通知システムにおける前記サーバ装置であって、
前記登録者端末装置及び通報者端末装置は、それぞれネットワークを介して前記サーバ装置と接続され、
前記タグ識別子と前記通知先情報とを対応付けて記憶する記憶手段を有し、
前記登録者端末装置から送信された前記タグ識別子と前記通知先情報とを受信した場合に、受信した前記タグ識別子と前記通知先情報とを対応付けて前記記憶手段に記憶させる登録手段と、
前記通報者端末装置から送信された前記位置情報と前記タグ識別子とを受信した場合に、受信した前記タグ識別子と対応付けて記憶している前記通知先情報が示す送信先に、受信した前記位置情報を含む前記所定情報を送信する通知手段とを備える
ことを特徴とするサーバ装置。
【請求項８】
自タグを特定するためのタグ識別子を記憶する通報用タグと、前記通報用タグと対の登録用タグであって、前記タグ識別子を符号化したバーコードが表示された登録用タグと、サーバ装置と、前記サーバ装置とネットワークを介してそれぞれ接続される登録者端末装置及び通報者端末装置とを備える通知システムで用いられる通知方法であって、
前記登録者端末装置は、バーコードリーダを有し、
前記サーバ装置は、前記タグ識別子と前記通知先情報とを対応付けて記憶する記憶手段を有し、
前記登録者端末装置が、
前記登録用タグから、前記バーコードリーダを用いて前記タグ識別子を取得する取得ステップと、
前記取得ステップで取得した前記タグ識別子と所定情報の送信先を示す通知先情報とを前記サーバ装置に送信する第１送信ステップとを備え、
前記通報者端末装置が、
前記通報用タグから前記タグ識別子を読み出す読出ステップと、
自装置の位置を示す位置情報を取得する位置取得ステップと、
前記読出ステップで前記タグ識別子を読み出したときに、前記位置取得ステップで前記位置情報を取得し、取得した前記位置情報と前記読出ステップで読み出した前記タグ識別子とを前記サーバ装置に送信する第２送信ステップとを備え、
前記サーバ装置が、
前記第１送信ステップで送信された前記タグ識別子と前記通知先情報とを受信した場合に、受信した前記タグ識別子と前記通知先情報とを対応付けて前記記憶手段に記憶させる登録ステップと、
前記第２送信ステップで送信された前記位置情報と前記タグ識別子とを受信した場合に、受信した前記タグ識別子と対応付けて記憶している前記通知先情報が示す送信先に、受信した前記位置情報を含む前記所定情報を送信する通知ステップとを備える
ことを特徴とする通知方法。
【手続補正２】
【補正対象書類名】明細書
【補正対象項目名】０００８
【補正方法】変更
【補正の内容】
【０００８】
本発明にかかる一態様の通知システムは、自タグを特定するためのタグ識別子を記憶する通報用タグと、サーバ装置と、前記通報用タグと対の登録用タグであって、前記タグ識別子を符号化したバーコードが表示された登録用タグと、前記サーバ装置とネットワークを介してそれぞれ接続される登録者端末装置及び通報者端末装置とを備える通知システムであって、前記登録者端末装置は、バーコードリーダと、前記登録用タグから、前記バーコードリーダを用いて前記タグ識別子を取得する取得手段と、前記取得手段で取得した前記タグ識別子と所定情報の送信先を示す通知先情報とを前記サーバ装置に送信する第１送信手段とを備え、前記通報者端末装置は、前記通報用タグから前記タグ識別子を読み出す読出手段と、自装置の位置を示す位置情報を取得する位置取得手段と、前記読出手段で前記タグ識別子を読み出したときに、前記位置取得手段で前記位置情報を取得し、取得した前記位置情報と前記読出手段で読み出した前記タグ識別子とを前記サーバ装置に送信する第２送信手段とを備え、前記サーバ装置は、前記タグ識別子と前記通知先情報とを対応付けて記憶する記憶手段と、前記第１送信手段で送信された前記タグ識別子と前記通知先情報とを受信した場合に、受信した前記タグ識別子と前記通知先情報とを対応付けて前記記憶手段に記憶させる登録手段と、前記第２送信手段で送信された前記位置情報と前記タグ識別子とを受信した場合に、受信した前記タグ識別子と対応付けて記憶している前記通知先情報が示す送信先に、受信した前記位置情報を含む前記所定情報を送信する通知手段とを備えることを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００２４
【補正方法】変更
【補正の内容】
【００２４】
他の一態様のサーバ装置は、自タグを特定するためのタグ識別子を記憶する通報用タグと、前記通報用タグと対の登録用タグであって、前記タグ識別子を符号化したバーコードが表示された登録用タグと、サーバ装置と、前記登録用タグから、バーコードリーダを用いて前記タグ識別子を取得し、取得した前記タグ識別子と所定情報の送信先を示す通知先情報とを前記サーバ装置に送信する登録者端末装置と、前記通報用タグから前記タグ識別子を読み出し、前記タグ識別子を読み出したときに、自装置の位置を示す位置情報を取得し、取得した前記位置情報と読み出した前記タグ識別子とを前記サーバ装置に送信する通報者端末装置とを備える通知システムにおける前記サーバ装置であって、前記登録者端末装置及び通報者端末装置は、それぞれネットワークを介して前記サーバ装置と接続され、前記タグ識別子と前記通知先情報とを対応付けて記憶する記憶手段を有し、前記登録者端末装置から送信された前記タグ識別子と前記通知先情報とを受信した場合に、受信した前記タグ識別子と前記通知先情報とを対応付けて前記記憶手段に記憶させる登録手段と、前記通報者端末装置から送信された前記位置情報と前記タグ識別子とを受信した場合に、受信した前記タグ識別子と対応付けて記憶している前記通知先情報が示す送信先に、受信した前記位置情報を含む前記所定情報を送信する通知手段とを備えることを特徴とする。
【手続補正書】
【提出日】平成29年11月19日(2017.11.19)
【手続補正１】
【補正対象書類名】特許請求の範囲
【補正対象項目名】全文
【補正方法】変更
【補正の内容】
【特許請求の範囲】
【請求項１】
サーバ装置と、自タグを特定するためのタグ識別子及び前記サーバ装置が備える通報手段の場所を示す通報アドレスを記憶し、物に付けられる通報用タグと、前記通報用タグと対の登録用タグであって、前記タグ識別子及び前記サーバ装置が備える登録手段の場所を示す登録アドレスを符号化したバーコードが表示された登録用タグと、前記サーバ装置とネットワークを介してそれぞれ接続される登録者端末装置及び通報者端末装置とを備える通知システムであって、
前記登録者端末装置は、
バーコードリーダと、
前記登録用タグから、前記バーコードリーダを用いて前記タグ識別子及び前記登録アドレスを取得する取得手段と、
前記取得手段で取得した前記タグ識別子と所定情報の送信先を示す通知先情報とを前記登録アドレスに送信する第１送信手段とを備え、
前記通報者端末装置は、
前記通報用タグから前記タグ識別子及び前記通報アドレスを読み出す読出手段と、
自装置の位置を示す位置情報を取得する位置取得手段と、
前記読出手段で前記タグ識別子を読み出したときに、前記位置取得手段で前記位置情報を取得し、取得した前記位置情報と前記読出手段で読み出した前記タグ識別子とを前記通報アドレスに送信する第２送信手段とを備え、
前記サーバ装置は、
前記登録アドレスで示される登録手段と、
前記通報アドレスで示される通報手段と、
前記タグ識別子と前記通知先情報とを対応付けて記憶する記憶手段とを備え、
前記登録手段は、前記登録者端末装置の第１送信手段で送信された前記タグ識別子と前記通知先情報とを受信した場合に、受信した前記タグ識別子と前記通知先情報とを対応付けて前記記憶手段に記憶させ、
前記通報手段は、前記通報者端末装置の第２送信手段で送信された前記位置情報と前記タグ識別子とを受信した場合に、受信した前記タグ識別子と対応付けて記憶している前記通知先情報が示す送信先に、受信した前記位置情報を含む前記所定情報を送信する
ことを特徴とする通知システム。
【請求項２】
前記通報用タグは、前記タグ識別子及び前記通報アドレスが記憶された無線タグであり、
前記通報者端末装置は、無線タグリーダを備え、
前記読出手段は、前記タグ識別子及び前記通報アドレスを、前記無線タグリーダを用いて前記通報用タグから読み出す
ことを特徴とする前記請求項１に記載の通知システム。
【請求項３】
前記通報用タグは、前記タグ識別子及び前記通報アドレスが符号化されたバーコードが印刷された印刷物であり、
前記通報者端末装置は、バーコードリーダを備え、
前記読出手段は、前記タグ識別子及び前記通報アドレスを、前記バーコードリーダを用いて前記通報用タグから読み出す
ことを特徴とする前記請求項１に記載の通知システム。
【請求項４】
前記所定情報の送信先は、前記登録者端末装置である
ことを特徴とする前記請求項１〜３のいずれか一項に記載の通知システム。
【請求項５】
前記所定情報の送信先は、前記通報者端末装置である
ことを特徴とする前記請求項１〜３のいずれか一項に記載の通知システム。
【請求項６】
前記登録者端末装置と前記通報者端末装置は、同じ端末装置である
ことを特徴とする前記請求項１〜５のいずれか一項に記載の通知システム。
【請求項７】
サーバ装置と、自タグを特定するためのタグ識別子及び前記サーバ装置が備える通報手段の場所を示す通報アドレスを記憶し、物に付けられる通報用タグと、前記通報用タグと対の登録用タグであって、前記タグ識別子及び前記サーバ装置が備える登録手段の場所を示す登録アドレスを符号化したバーコードが表示された登録用タグと、前記登録用タグから、バーコードリーダを用いて前記タグ識別子及び前記登録アドレスを取得し、取得した前記タグ識別子と所定情報の送信先を示す通知先情報とを前記登録アドレスに送信する登録者端末装置と、前記通報用タグから前記タグ識別子及び前記通報アドレスを読み出し、前記タグ識別子及び前記通報アドレスを読み出したときに、自装置の位置を示す位置情報を取得し、取得した前記位置情報と読み出した前記タグ識別子とを前記通報アドレスに送信する通報者端末装置とを備える通知システムにおける前記サーバ装置であって、
前記登録者端末装置及び通報者端末装置は、それぞれネットワークを介して前記サーバ装置と接続され、
前記登録アドレスで示される登録手段と、
前記通報アドレスで示される通報手段と、
前記タグ識別子と前記通知先情報とを対応付けて記憶する記憶手段とを備え、
前記登録手段は、前記登録者端末装置から送信された前記タグ識別子と前記通知先情報とを受信した場合に、受信した前記タグ識別子と前記通知先情報とを対応付けて前記記憶手段に記憶させ、
前記通報手段は、前記通報者端末装置から送信された前記位置情報と前記タグ識別子とを受信した場合に、受信した前記タグ識別子と対応付けて記憶している前記通知先情報が示す送信先に、受信した前記位置情報を含む前記所定情報を送信する
ことを特徴とするサーバ装置。
【請求項８】
サーバ装置と、自タグを特定するためのタグ識別子及び前記サーバ装置が備える通報手段の場所を示す通報アドレスを記憶し、物に付けられる通報用タグと、前記通報用タグと対の登録用タグであって、前記タグ識別子及び前記サーバ装置が備える登録手段の場所を示す登録アドレスを符号化したバーコードが表示された登録用タグと、前記サーバ装置とネットワークを介してそれぞれ接続される登録者端末装置及び通報者端末装置とを備える通知システムで用いられる通知方法であって、
前記登録者端末装置は、バーコードリーダを有し、
前記サーバ装置は、前記タグ識別子と前記通知先情報とを対応付けて記憶する記憶手段を有し、
前記登録者端末装置が、
前記登録用タグから、前記バーコードリーダを用いて前記タグ識別子及び前記登録アドレスを取得する取得ステップと、
前記取得ステップで取得した前記タグ識別子と所定情報の送信先を示す通知先情報とを前記登録アドレスに送信する第１送信ステップとを備え、
前記通報者端末装置が、
前記通報用タグから前記タグ識別子及び前記通報アドレスを読み出す読出ステップと、
自装置の位置を示す位置情報を取得する位置取得ステップと、
前記読出ステップで前記タグ識別子及び前記通報アドレスを読み出したときに、前記位置取得ステップで前記位置情報を取得し、取得した前記位置情報と前記読出ステップで読み出した前記タグ識別子とを前記通報アドレスに送信する第２送信ステップとを備え、
前記サーバ装置が、
前記登録手段において、前記登録者端末装置の第１送信ステップで送信された前記タグ識別子と前記通知先情報とを受信した場合に、受信した前記タグ識別子と前記通知先情報とを対応付けて前記記憶手段に記憶させる登録ステップと、
前記通報手段において、前記通報者端末装置の第２送信ステップで送信された前記位置情報と前記タグ識別子とを受信した場合に、受信した前記タグ識別子と対応付けて記憶している前記通知先情報が示す送信先に、受信した前記位置情報を含む前記所定情報を送信する通知ステップとを備える
ことを特徴とする通知方法。
【手続補正２】
【補正対象書類名】明細書
【補正対象項目名】０００８
【補正方法】変更
【補正の内容】
【０００８】
本発明にかかる一態様の通知システムは、サーバ装置と、自タグを特定するためのタグ識別子及び前記サーバ装置が備える通報手段の場所を示す通報アドレスを記憶し、物に付けられる通報用タグと、前記通報用タグと対の登録用タグであって、前記タグ識別子及び前記サーバ装置が備える登録手段の場所を示す登録アドレスを符号化したバーコードが表示された登録用タグと、前記サーバ装置とネットワークを介してそれぞれ接続される登録者端末装置及び通報者端末装置とを備える通知システムであって、前記登録者端末装置は、バーコードリーダと、前記登録用タグから、前記バーコードリーダを用いて前記タグ識別子及び前記登録アドレスを取得する取得手段と、前記取得手段で取得した前記タグ識別子と所定情報の送信先を示す通知先情報とを前記登録アドレスに送信する第１送信手段とを備え、前記通報者端末装置は、前記通報用タグから前記タグ識別子及び前記通報アドレスを読み出す読出手段と、自装置の位置を示す位置情報を取得する位置取得手段と、前記読出手段で前記タグ識別子を読み出したときに、前記位置取得手段で前記位置情報を取得し、取得した前記位置情報と前記読出手段で読み出した前記タグ識別子とを前記通報アドレスに送信する第２送信手段とを備え、前記サーバ装置は、前記登録アドレスで示される登録手段と、前記通報アドレスで示される通報手段と、前記タグ識別子と前記通知先情報とを対応付けて記憶する記憶手段とを備え、前記登録手段は、前記登録者端末装置の第１送信手段で送信された前記タグ識別子と前記通知先情報とを受信した場合に、受信した前記タグ識別子と前記通知先情報とを対応付けて前記記憶手段に記憶させ、
前記通報手段は、前記通報者端末装置の第２送信手段で送信された前記位置情報と前記タグ識別子とを受信した場合に、受信した前記タグ識別子と対応付けて記憶している前記通知先情報が示す送信先に、受信した前記位置情報を含む前記所定情報を送信することを特徴とする。
【手続補正３】
【補正対象書類名】明細書
【補正対象項目名】００２４
【補正方法】変更
【補正の内容】
【００２４】
他の一態様のサーバ装置は、サーバ装置と、自タグを特定するためのタグ識別子及び前記サーバ装置が備える通報手段の場所を示す通報アドレスを記憶し、物に付けられる通報用タグと、前記通報用タグと対の登録用タグであって、前記タグ識別子及び前記サーバ装置が備える登録手段の場所を示す登録アドレスを符号化したバーコードが表示された登録用タグと、前記登録用タグから、バーコードリーダを用いて前記タグ識別子及び前記登録アドレスを取得し、取得した前記タグ識別子と所定情報の送信先を示す通知先情報とを前記登録アドレスに送信する登録者端末装置と、前記通報用タグから前記タグ識別子及び前記通報アドレスを読み出し、前記タグ識別子及び前記通報アドレスを読み出したときに、自装置の位置を示す位置情報を取得し、取得した前記位置情報と読み出した前記タグ識別子とを前記通報アドレスに送信する通報者端末装置とを備える通知システムにおける前記サーバ装置であって、前記登録者端末装置及び通報者端末装置は、それぞれネットワークを介して前記サーバ装置と接続され、前記登録アドレスで示される登録手段と、前記通報アドレスで示される通報手段と、前記タグ識別子と前記通知先情報とを対応付けて記憶する記憶手段とを備え、前記登録手段は、前記登録者端末装置から送信された前記タグ識別子と前記通知先情報とを受信した場合に、受信した前記タグ識別子と前記通知先情報とを対応付けて前記記憶手段に記憶させ、前記通報手段は、前記通報者端末装置から送信された前記位置情報と前記タグ識別子とを受信した場合に、受信した前記タグ識別子と対応付けて記憶している前記通知先情報が示す送信先に、受信した前記位置情報を含む前記所定情報を送信することを特徴とする。